(57)【要約】ＤＶＤ再生機器のＭＰＥＧデコードＩＣは、ＣＤ−ＲＯＭから読み込まれた更新用ソフトウェアをデコードし、送信用信号変換ＩＣは、デコードされた更新用ソフトウェアを補足データのＩｎｆｏＦｒａｍｅを利用してデータラインを通してテレビジョン受像機に送信する。ＤＶＤ再生機器のマイクロプロセッサは、テレビジョン受像機のマイクロプロセッサにソフトウェアの更新を指示する。テレビジョン受像機のメモリには、マイクロプロセッサのソフトウェアが記憶される。マイクロプロセッサは、受信用信号変換ＩＣにより受信された更新用ソフトウェアを用いてメモリのソフトウェアを更新する。
2004091207.tif 000002
【特許請求の範囲】
【請求項１】
記録媒体に記録されたデータを再生するとともに、ソフトウェアに従って動作する映像表示装置にインターフェイスバスを通して接続可能なデータ再生装置であって、
記録媒体から読み込まれた映像データおよび音声データをそれぞれ第１の領域および第２の領域を用いて前記インターフェイスバスを通して前記映像表示装置に送信する送信部と、
前記映像表示装置のソフトウェアの更新時に、記録媒体から読み込まれた更新用ソフトウェアを前記第１および第２の領域とは異なる付加データの送信のための第３の領域を用いて前記インターフェイスバスを通して前記映像表示装置に送信するように前記送信部を制御するとともに、前記映像表示装置にソフトウェアの更新を指示する制御部とを備えた、データ再生装置。
【請求項２】
記録媒体には、ソフトウェアの更新に関する関連情報がさらに記録され、
前記制御部は、前記映像表示装置のソフトウェアの更新時に、記録媒体から読み込まれた関連情報を前記第１の領域および／または前記第２の領域を用いて前記インターフェイスバスを通して前記映像表示装置に送信するように前記送信部を制御する、請求項１記載のデータ再生装置。
【請求項３】
前記関連情報は音声データを含み、
前記制御部は、前記映像表示装置のソフトウェアの更新時に、記録媒体から読み込まれた関連情報の音声データを前記第２の領域を用いて前記インターフェイスバスを通して前記映像表示装置に送信するように前記送信部を制御する、請求項２記載のデータ再生装置。
【請求項４】
前記関連情報は映像データを含み、
前記制御部は、前記映像表示装置のソフトウェアの更新時に、記録媒体から読み込まれた関連情報の映像データを前記第１の領域を用いて前記インターフェイスバスを通して前記映像表示装置に送信するように前記送信部を制御する、請求項２記載のデータ再生装置。
【請求項５】
前記関連情報は、ソフトウェアの更新の操作手順を示す操作案内情報を含む、請求項２記載のデータ再生装置。
【請求項６】
前記インターフェイスバスは、映像データ、音声データおよび付加データを送信するデータラインと、クロック信号を送信するクロックラインと、制御信号を送信するコントロールラインとを含み、
前記第１の領域は映像データの映像期間であり、前記第２および第３の領域は映像データのブランキング期間内にあり、
前記送信部は、前記クロックラインにクロック信号を出力するとともに、クロック信号に同期して前記第３の領域を用いて更新用ソフトウェアをデータラインを通して送信する、請求項１記載のデータ再生装置。
【請求項７】
前記更新用ソフトウェアは、ソフトウェアが更新されるべき対象を識別するための識別情報を含み、
前記制御部は、前記識別情報に基づいて前記映像表示装置にソフトウェアの更新を指示する、請求項１記載のデータ再生装置。
【請求項８】
前記制御部のためのソフトウェアを記憶する記憶装置をさらに備え、
前記制御部は、前記識別情報が前記映像表示装置を示している場合には前記映像表示装置にソフトウェアの更新を指示し、前記識別情報が前記制御部のソフトウェアの更新を示している場合には記録媒体から読み込まれた更新用ソフトウェアを用いて前記記憶装置に記憶されるソフトウェアを更新する、請求項７記載のデータ再生装置。
【請求項９】
データ再生装置にインターフェイスバスを通して接続可能な映像表示装置であって、
前記データ再生装置により前記インターフェイスバスを通してそれぞれ第１の領域および第２の領域を用いて送信される映像データおよび音声データを受信する受信部と、
前記受信部により受信された音声データに基づいて音声を出力する音声出力部と、
前記受信部により受信された映像データに基づいて映像を表示する映像表示部と、
前記映像表示部および前記音声出力部を制御する処理部と、
前記処理部のためのソフトウェアを記憶する記憶部とを備え、
前記処理部は、前記第１および第２の領域と異なる付加データの送信のための第３の領域を用いて前記インターフェイスバスを通して送信される更新用ソフトウェアが前記受信部により受信されかつ前記データ再生装置からソフトウェアの更新が指示された場合に、前記受信部により受信された更新用ソフトウェアを用いて前記記憶部に記憶されたソフトウェアを更新する、映像表示装置。
【請求項１０】
前記処理部は、前記インターフェイスバスを通して前記第１の領域および／または第２の領域を用いて送信されるソフトウェアの更新に関する関連情報を受信するように前記受信部を制御し、前記受信部により受信された関連情報に基づいて前記映像表示部に映像を表示させるとともに前記音声出力部に音声を出力させる、請求項９記載の映像表示装置。
【請求項１１】
拡張機能を実行する拡張機能部と、
前記拡張機能部を制御する他の処理部と、
前記拡張機能用処理部のためのソフトウェアを記憶する他の記憶部とをさらに備え、
前記処理部は、前記データ再生装置により前記他の処理部のソフトウェアの更新が指示された場合に、前記他の処理部に前記受信部により受信された更新用ソフトウェアを送信するとともに前記他の処理部にソフトウェアの更新を指示し、
前記他の処理部は、前記処理部の指示に従って前記処理部から送信された更新用ソフトウェアを用いて前記他の記憶部に記憶されたソフトウェアを更新する、請求項９記載の映像表示装置。
【請求項１２】
ソフトウェアに従って動作する映像表示装置と、
記録媒体に記録されたデータを再生するとともに前記映像表示装置にインターフェイスバスを通して接続可能なデータ再生装置とを備え、
前記データ再生装置は、
記録媒体から読み込まれた映像データおよび音声データをそれぞれ第１の領域および第２の領域を用いて前記インターフェイスバスを通して前記映像表示装置に送信する送信部と、
前記映像表示装置のソフトウェアの更新時に、記録媒体から読み込まれた更新用ソフトウェアを前記第１および第２の領域とは異なる付加データの送信のための第３の領域を用いて前記インターフェイスバスを通して前記映像表示装置に送信するように前記送信部を制御するとともに、前記映像表示装置にソフトウェアの更新を指示する制御部とを含み、
前記映像表示装置は、
前記データ再生装置により前記インターフェイスバスを通してそれぞれ前記第１の領域および第２の領域を用いて送信される映像データおよび音声データを受信する受信部と、
前記受信部により受信された音声データに基づいて音声を出力する音声出力部と、
前記受信部により受信された映像データに基づいて映像を表示する映像表示部と、
前記映像表示部および前記音声出力部を制御する処理部と、
前記処理部のためのソフトウェアを記憶する記憶部とを備え、
前記処理部は、前記第３の領域を用いて前記インターフェイスバスを通して送信される更新用ソフトウェアが前記受信部により受信されかつ前記データ再生装置からソフトウェアの更新が指示された場合に、前記受信部により受信された更新用ソフトウェアを用いて前記記憶部に記憶されたソフトウェアを更新する、ソフトウェア更新システム。
【請求項１３】
前記映像表示装置はテレビジョン受像機を含む、請求項１２記載のソフトウエア更新システム。
【請求項１４】
記録媒体に記録されたデータを再生するとともに前記映像表示装置にインターフェイスバスを通して接続可能なデータ再生装置を用いて映像表示装置のソフトウェアを更新するソフトウェア更新方法であって、
前記映像表示装置のソフトウェアの更新時に、前記データ再生装置により記録媒体から読み込まれた更新用ソフトウェアを映像データの送信のための第１の領域および音声データの送信のための第２の領域を除く付加データの送信のための第３の領域を用いて前記インターフェイスバスを通して前記映像表示装置に送信するステップと、
前記データ再生装置により前記映像表示装置にソフトウェアの更新を指示するステップと、
前記データ再生装置から前記映像表示装置にソフトウェアの更新が指示された場合に、前記第３の領域を用いて前記インターフェイスバスを通して送信される更新用ソフトウェアを前記映像表示装置により受信するステップと、
前記受信された更新用ソフトウェアを用いて前記映像表示装置のソフトウェアを更新するステップとを備えた、ソフトウェア更新方法。
【発明の詳細な説明】
【技術分野】  本発明は、データ再生装置、映像表示装置、それらを用いたソフトウェア更新システムおよびソフトウェア更新方法に関する。
【背景技術】  テレビジョン受像機においてソフトウェアに不具合が生じた場合には、それを修正するためにソフトウェアを更新する必要がある。そこで、テレビジョン受像機のソフトウェアを更新するためのソフトウェア更新回路が提案されている。例えば、特開平１０−１６４４４６号公報に記載されたソフトウェア更新回路では、市場調整モードにてテレビジョン受像機の種々の入出力端子からソフトウェア変更を可能にする切り替えスイッチが設けられている。
図７は従来のソフトウェア更新回路を示すブロック図である。図７において、ソフトウェア更新回路は、フラッシュＲＯＭ（リードオンリメモリ）内蔵マイクロプロセッサ１０１、切り替え回路１０３および信号処理部１０４を備える。
マイクロプロセッサ１０１のフラッシュＲＯＭには、ソフトウェア１０９が書き込まれている。マイクロプロセッサ１０１は、クロック・データライン切り替え信号１０２を切り替え回路１０３に出力する。切り替え回路１０３は、ソフトウェアを更新するためのクロック・データ信号１０８をマイクロプロセッサ１０１に与える。
テレビジョン受像機は、Ｓ映像入力端子１０５を有する。このＳ映像入力端子１０５は、輝度信号入力端子部１０６および色信号入力端子部１０７を含む。Ｓ映像入力端子１０５には、ソフトウェアを更新するためのボードまたはパーソナルコンピュータ１１０が接続される。
図７の例において、テレビジョン受像機が市場調整モードに入ると、ソフトウェア更新用ボードまたはパーソナルコンピュータ１１０から更新用ソフトウェアが輝度信号入力端子部１０６、色信号入力端子部１０７および切り替え回路１０３を経由してクロック・データ信号１０８としてマイクロプロセッサ１０１に入力される。
このようにして、マイクロプロセッサ１０１のソフトウェア１０９がソフトウェア更新用ボードまたはパーソナルコンピュータ１１０からのクロック・データ信号１０８により更新される。
しかしながら、上記の従来のソフトウェア更新回路では、ソフトウェアを更新するためにサービスマンが家庭を訪問してテレビジョン受像機を市場調整モードに設定した上で、特別なソフトウェア更新用ボードまたはパーソナルコンピュータ１１０をテレビジョン受像機のＳ映像入力端子１０５に接続しなければならない。
また、上記のソフトウェア更新のための条件が満たされても。ソフトウェアの更新の操作は複雑であり、一般家庭において使用者が自分でソフトウェアを更新することはできず、必ずサービスマンが家庭を訪問しなければならない。
【発明の開示】
本発明の目的は、使用者が映像表示装置のソフトウェアを容易に更新することを可能にするデータ再生装置を提供することである。
本発明の他の目的は、使用者がソフトウェアを容易に更新することができる映像表示装置を提供することである。
本発明のさらに他の目的は、使用者が映像表示装置のソフトウェアを容易に更新することを可能にするソフトウェア更新システムおよびソフトウェア更新方法を提供することがである。
本発明の一局面に従うデータ再生装置は、記録媒体に記録されたデータを再生するとともに、ソフトウェアに従って動作する映像表示装置にインターフェイスバスを通して接続可能なデータ再生装置であって、記録媒体から読み込まれた映像データおよび音声データをそれぞれ第１の領域および第２の領域を用いてインターフェイスバスを通して映像表示装置に送信する送信部と、映像表示装置のソフトウェアの更新時に、記録媒体から読み込まれた更新用ソフトウェアを第１および第２の領域とは異なる付加データの送信のための第３の領域を用いてインターフェイスバスを通して映像表示装置に送信するように送信部を制御するとともに、映像表示装置にソフトウェアの更新を指示する制御部とを備えたものである。
そのデータ再生装置においては、記録媒体から読み込まれた映像データおよび音声データがそれぞれ第１の領域および第２の領域を用いてインターフェイスバスを通して送信部により映像表示装置に送信される。それにより、映像表示装置において映像データに基づいて映像が表示されるとともに、音声データに基づいて音声が出力される。
映像表示装置のソフトウェアの更新時には、記憶媒体から読み込まれた更新用ソフトウェアが付加データの送信のための第３の領域を用いてインターフェイスバスを通して映像表示装置に送信されるように制御部により送信部が制御される。また、制御部により映像表示装置にソフトウェアの更新が指示される。それにより、映像表示装置のソフトウェアが更新用ソフトウェアを用いて更新される。
このように、使用者はデータ再生装置を用いて映像表示装置のソフトウェアを容易に更新することが可能となる。
記録媒体には、ソフトウェアの更新に関する関連情報がさらに記録され、制御部は、映像表示装置のソフトウェアの更新時に、記録媒体から読み込まれた関連情報を第１の領域および／または第２の領域を用いてインターフェイスバスを通して映像表示装置に送信するように送信部を制御してもよい。
この場合、映像表示装置のソフトウェアの更新時に、記録媒体から読み込まれた関連情報が第１の領域および／または第２の領域を用いてインターフェイスバスを通して映像表示装置に送信される。それにより、映像表示装置において、ソフトウェアの更新に関する関連情報を表示または出力することが可能となる。
関連情報は音声データを含み、制御部は、映像表示装置のソフトウェアの更新時に、記録媒体から読み込まれた関連情報の音声データを第２の領域を用いてインターフェイスバスを通して映像表示装置に送信するように送信部を制御してもよい。
この場合、映像表示装置のソフトウェアの更新時に、記録媒体から読み込まれた関連情報の音声データが第２の領域を用いてインターフェイスバスを通して映像表示装置に送信される。それにより、映像表示装置において、ソフトウェアの更新に関する関連情報を音声として出力することが可能となる。
関連情報は映像データを含み、制御部は、映像表示装置のソフトウェアの更新時に、記録媒体から読み込まれた関連情報の映像データを第１の領域を用いてインターフェイスバスを通して映像表示装置に送信するように送信部を制御してもよい。
この場合、映像表示装置のソフトウェアの更新時に、記録媒体から読み込まれた関連情報の映像データが第１の領域を用いてインターフェイスバスを通して映像表示装置に送信される。それにより、映像表示装置において、ソフトウェアの更新に関する関連情報を映像として表示することができる。
関連情報は、ソフトウェアの更新の操作手順を示す操作案内情報を含んでもよい。
この場合、映像表示装置のソフトウェアの更新時に、ソフトウェアの更新の操作手順を示す操作案内情報が第１の領域および／または第２の領域を用いてインターフェイスバスを通して映像表示装置に送信される。それにより、映像表示装置において、ソフトウェアの更新の操作手順を表示または出力することが可能となる。
インターフェイスバスは、映像データ、音声データおよび付加データを送信するデータラインと、クロック信号を送信するクロックラインと、制御信号を送信するコントロールラインとを含み、第１の領域は映像データの映像期間であり、第２および第３の領域は映像データのブランキング期間内にあり、送信部は、クロックラインにクロック信号を出力するとともに、クロック信号に同期して第３の領域を用いて更新用ソフトウェアをデータラインを通して送信してもよい。
この場合、記録媒体から読み込まれた映像データ、音声データおよび付加データがデータラインを通して映像表示装置に送信され、クロック信号がクロックラインを通して送信され、制御信号がコントロールラインを通して送信される。更新用ソフトウェアは、クロック信号に同期して映像データのブランキング間内の付加データのための第３の領域を用いて送信される。このようにして、データ再生装置と映像表示装置とを接続するインターフェイスバスを用いて映像表示装置のソフトウェアを更新することができる。
更新用ソフトウェアは、ソフトウェアが更新されるべき対象を識別するための識別情報を含み、制御部は、識別情報に基づいて映像表示装置にソフトウェアの更新を指示してもよい。
この場合、識別情報に基づいて映像表示装置においてソフトウェアが更新されるべき対象を指示することができる。
制御部のためのソフトウェアを記憶する記憶装置をさらに備え、制御部は、識別情報が映像表示装置を示している場合には映像表示装置にソフトウェアの更新を指示し、識別情報が制御部のソフトウェアの更新を示している場合には記録媒体から読み込まれた更新用ソフトウェアを用いて記憶装置に記憶されるソフトウェアを更新してもよい。
この場合、識別情報が映像表示装置を示している場合には、制御部により映像表示装置にソフトウェアの更新が指示され、識別情報が制御部のソフトウェアの更新を指示している場合には、記録媒体から読み込まれた更新用ソフトウェアを用いて記憶装置に記憶されるソフトウェアが更新される。それにより、映像表示装置のソフトウェアおよびデータ再生装置の制御部のソフトウェアを選択的に更新することができる。
本発明の他の局面に従う映像表示装置は、ソフトウェアに従って動作する映像表示装置と、記録媒体に記録されたデータを再生するとともに映像表示装置にインターフェイスバスを通して接続可能なデータ再生装置とを備え、データ再生装置は、記録媒体から読み込まれた映像データおよび音声データをそれぞれ第１の領域および第２の領域を用いてインターフェイスバスを通して映像表示装置に送信する送信部と、映像表示装置のソフトウェアの更新時に、記録媒体から読み込まれた更新用ソフトウェアを第１および第２の領域とは異なる付加データの送信のための第３の領域を用いてインターフェイスバスを通して映像表示装置に送信するように送信部を制御するとともに、映像表示装置にソフトウェアの更新を指示する制御部とを含み、映像表示装置は、データ再生装置によりインターフェイスバスを通してそれぞれ第１の領域および第２の領域を用いて送信される映像データおよび音声データを受信する受信部と、受信部により受信された音声データに基づいて音声を出力する音声出力部と、受信部により受信された映像データに基づいて映像を表示する映像表示部と、映像表示部および音声出力部を制御する処理部と、処理部のためのソフトウェアを記憶する記憶部とを備え、処理部は、第３の領域を用いてインターフェイスバスを通して送信される更新用ソフトウェアが受信部により受信されかつデータ再生装置からソフトウェアの更新が指示された場合に、受信部により受信された更新用ソフトウェアを用いて記憶部に記憶されたソフトウェアを更新するものである。
その映像表示装置においては、データ再生装置によりそれぞれ第１の領域および第２の領域を用いて送信される映像データおよび音声データがインターフェイスバスを通して受信部により受信される。受信部により受信された音声データに基づいて音声出力部により音声が出力され、受信部により受信された映像データに基づいて映像表示部により映像が表示される。
また、付加データの送信のための第３の領域を用いてインターフェイスバスを通して受信部により更新用ソフトウェアが受信されかつデータ再生装置からソフトウェアの更新が指示された場合に、受信された更新用ソフトウェアを用いて記憶装置に記憶されたソフトウェアが更新される。このようにして、データ再生装置を用いて映像表示装置のソフトウェアを容易に更新することができる。
処理部は、インターフェイスバスを通して第１の領域および／または第２の領域を用いて送信されるソフトウェアの更新に関する関連情報を受信するように受信部を制御し、受信部により受信された関連情報に基づいて映像表示部に映像を表示させるとともに音声出力部に音声を出力させてもよい。
この場合、インターフェイスバスを通して第１の領域および／または第２の領域を用いて送信されるソフトウェアの更新に関する関連情報が受信部により受信される。受信された関連情報に基づいて映像表示部により映像が表示されるとともに、音声出力部により音声が出力される。それにより、使用者は、ソフトウェアの更新に関する関連情報を映像および音声により容易に認識することが可能となる。
映像表示装置は、拡張機能を実行する拡張機能部と、拡張機能部を制御する他の処理部と、拡張機能用処理部のためのソフトウェアを記憶する他の記憶部とをさらに備え、処理部は、データ再生装置により他の処理部のソフトウェアの更新が指示された場合に、他の処理部に受信部により受信された更新用ソフトウェアを送信するとともに他の処理部にソフトウェアの更新を指示し、他の処理部は、処理部の指示に従って処理部から送信された更新用ソフトウェアを用いて他の記憶部に記憶されたソフトウェアを更新してもよい。
この場合、データ再生装置により映像表示装置の他の処理部のソフトウェアの更新が指示された場合に、受信された更新用ソフトウェアが他の処理部に送信されるとともに他の処理部にソフトウェアの更新が指示される。それにより、更新用ソフトウェアを用いて他の処理部により他の記憶部に記憶されたソフトウェアが更新される。このように、データ再生装置を用いて映像表示装置の複数の処理部のソフトウェアを容易に更新することができる。
映像表示装置はテレビジョン受像機を含んでもよい。この場合、データ再生装置によりテレビジョン受像機のソフトウェアを容易に更新することができる。
本発明のさらに他の局面に従うソフトウェア更新システムは、ソフトウェアに従って動作する映像表示装置と、記録媒体に記録されたデータを再生するとともに映像表示装置にインターフェイスバスを通して接続可能なデータ再生装置とを備え、データ再生装置は、記録媒体から読み込まれた映像データおよび音声データをそれぞれ第１の領域および第２の領域を用いてインターフェイスバスを通して映像表示装置に送信する送信部と、映像表示装置のソフトウェアの更新時に、記録媒体から読み込まれた更新用ソフトウェアを第１および第２の領域とは異なる付加データの送信のための第３の領域を用いてインターフェイスバスを通して映像表示装置に送信するように送信部を制御するとともに、映像表示装置にソフトウェアの更新を指示する制御部とを含み、映像表示装置は、データ再生装置によりインターフェイスバスを通してそれぞれ第１の領域および第２の領域を用いて送信される映像データおよび音声データを受信する受信部と、受信部により受信された音声データに基づいて音声を出力する音声出力部と、受信部により受信された映像データに基づいて映像を表示する映像表示部と、映像表示部および音声出力部を制御する処理部と、処理部のためのソフトウェアを記憶する記憶部とを備え、処理部は、第３の領域を用いてインターフェイスバスを通して送信される更新用ソフトウェアが受信部により受信されかつデータ再生装置からソフトウェアの更新が指示された場合に、受信部により受信された更新用ソフトウェアを用いて記憶部に記憶されたソフトウェアを更新するものである。
データ再生装置において、記録媒体から読み込まれた映像データおよび音声データがそれぞれ第１の領域および第２の領域を用いてインターフェイスバスを通して送信部により映像表示装置に送信される。それにより、映像表示装置においては、データ再生装置によりそれぞれ第１の領域および第２の領域を用いて送信される映像データおよび音声データがインターフェイスバスを通して受信部により受信される。受信部により受信された音声データに基づいて音声出力部により音声が出力され、受信部により受信された映像データに基づいて映像表示部により映像が表示される。
映像表示装置のソフトウェアの更新時には、記憶媒体から読み込まれた更新用ソフトウェアが付加データの送信のための第３の領域を用いてインターフェイスバスを通して映像表示装置に送信されるように制御部により送信部が制御される。また、制御部により映像表示装置にソフトウェアの更新が指示される。それにより、映像表示装置において、受信された更新用ソフトウェアを用いて記憶装置に記憶されたソフトウェアが更新される。
このようにして、データ再生装置を用いて映像表示装置のソフトウェアを容易に更新することができる。
本発明のさらに他の局面に従うソフトウェア更新方法は、記録媒体に記録されたデータを再生するとともに映像表示装置にインターフェイスバスを通して接続可能なデータ再生装置を用いて映像表示装置のソフトウェアを更新するソフトウェア更新方法であって、映像表示装置のソフトウェアの更新時に、データ再生装置により記録媒体から読み込まれた更新用ソフトウェアを映像データの送信のための第１の領域および音声データの送信のための第２の領域を除く付加データの送信のための第３の領域を用いてインターフェイスバスを通して映像表示装置に送信するステップと、データ再生装置により映像表示装置にソフトウェアの更新を指示するステップと、データ再生装置から映像表示装置にソフトウェアの更新が指示された場合に、第３の領域を用いてインターフェイスバスを通して送信される更新用ソフトウェアを映像表示装置により受信するステップと、受信された更新用ソフトウェアを用いて映像表示装置のソフトウェアを更新するステップとを備えたものである。
そのソフトウェア更新方法においては、映像表示装置のソフトウェアの更新時に、データ再生装置により記録媒体から読み込まれた更新用ソフトウェアが映像データの送信のための第１の領域および音声データの送信のための第２の領域を除く付加データの送信のための第３の領域を用いてインターフェイスバスを通して映像表示装置に送信される。データ再生装置から映像表示装置にソフトウェアの更新が指示された場合に、第３の領域を用いてインターフェイスバスを通して送信される更新用ソフトウェアが映像表示装置により受信される。受信された更新用ソフトウェアを用いて映像表示装置のソフトウェアが更新される。
このようにして、データ再生装置を用いて映像表示装置のソフトウェアを容易に更新することができる。
【図面の簡単な説明】  図１は、本発明の一実施の形態に係るソフトウェア更新システムの構成を示すブロック図である。
図２は、図１のＤＶＤ再生機器のマイクロプロセッサの処理を示すフローチャートである。
図３は、図１のＤＶＤ再生機器のマイクロプロセッサの処理を示すフローチャートである。
図４は、図１のテレビジョン受像機のマイクロプロセッサの処理を示すフローチャートである。
図５は、図１のテレビジョン受像機のマイクロプロセッサの処理を示すフローチャートである。
図６は、図１のテレビジョン受像機のマイクロプロセッサの処理を示すフローチャートである。
図７は、従来のソフトウェア更新回路の構成を示すブロック図である。
【発明を実施するための最良の形態】  図１は本発明の一実施の形態に係るソフトウェア更新システムの構成を示すブロック図である。
図１に示すように、ソフトウェア更新システムは、ＤＶＤ（デジタルバーサタイルディスク）再生機器２００およびテレビジョン受像機３００により構成される。テレビジョン受像機３００にＤＶＤ再生機器２００が接続されている。ＣＤ−ＲＯＭ（コンパクトディスク−ランダムアクセスメモリ）２０１には、更新用ソフトウェアおよび操作案内情報がＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）形式で記録されている。
ここで、更新用ソフトウェアとは、旧バージョンのソフトウェアの不具合を修正するためのソフトウェア、機能強化または機能追加のためのソフトウェア、新バージョンのソフトウェア等である。また、操作案内情報とは、ソフトウェアの更新のために使用者が行うべき操作の手順を映像および音声で案内するための情報である。使用者が行うべき操作とは、例えば、更新すべきソフトウエアの選択、更新すべき機能の選択、ＣＤ−ＲＯＭ２０１の取り出し等である。
ＤＶＤ再生機器２００は、ＭＰＥＧデコードＩＣ（集積回路）２０２、送信用信号変換ＩＣ２０３、マイクロプロセッサ２０４およびメモリ２０５を含む。
テレビジョン受像機３００は、受信用信号変換ＩＣ３０１、映像処理プロセッサ３０２、音声ＤＡＣ（デジタル−アナログ変換器）回路３０３、ディスプレイ３０４、スピーカ３０５、マイクロプロセッサ３０６、メモリ３０７、マイクロプロセッサ３０８、メモリ３０９および拡張機能部３１０を含む。
ＤＶＤ再生機器２００とテレビジョン受像機３００とは、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格と呼ばれるデジタルインターフェイス規格に従うＨＤＭＩインターフェイスケーブルＣＡにより接続されている。ＨＤＭＩインターフェイスケーブルＣＡは、データラインＤ１，Ｄ２，Ｄ３、ピクセルクロックラインＣＫおよびコントロールラインＣＴを含む。
ＨＤＭＩ規格によれば、映像データを送信するとともに、映像データのブランキング期間（垂直ブランキング期間および水平ブランキング期間）に補足データを送信することができる。補足データには、音声データ（音声パケット）、およびＩｎｆｏＦｒａｍｅ（情報フレーム）と呼ばれるデータパケットが含まれる。このＩｎｆｏＦｒａｍｅを利用して種々の情報（付加データ）を送信することができる。本実施の形態では、ＩｎｆｏＦｒａｍｅを利用して更新用ソフトウエアが送信される。また、上記の操作案内情報は、ピクセルコンポーネント（映像データ）と、ＩｎｆｏＦｒａｍｅに含まれる音声データとにより構成される。
更新用ソフトウェアは、複数のデータパケットに分割され、複数のブランキング期間のＩｎｆｏＦｒａｍｅに分散して挿入される。各データパケットに付加されるヘッダに基づいて更新用ソフトウェアが再整列されることにより更新用ソフトウェアが復元される。
ＤＶＤ再生機器２００のマイクロプロセッサ２０４は、送信用信号変換ＩＣ２０３を制御する。
ＭＰＥＧデコードＩＣ２０２は、通常時には、ＤＶＤにＭＰＥＧ形式で記録されたデータをデコードし、ソフトウエアの更新時には、ＣＤ−ＲＯＭ２０１にＭＰＥＧ形式で記録されたデータ（更新用ソフトウェア）をデコードする。送信用信号変換ＩＣ２０３は、ＭＰＥＧデコードＩＣ２０２によりデコードされたデータをピクセルコンポーネントデータ（映像データ）と補足データとに分け、ピクセルクロックをピクセルクロックラインＣＫに出力するとともに、ピクセルクロックに同期してピクセルコンポーネントおよび補足データをデータラインＤ１，Ｄ２，Ｄ３に出力する。
データラインＤ１は、ピクセルコンポーネントＢ（青色映像データ）および補足データをピクセルクロックラインＣＫのピクセルクロックに同期してテレビジョン受像機３００に転送する。データラインＤ２は、ピクセルコンポーネントＧ（緑色映像データ）および補足データをピクセルクロックラインＣＫのピクセルクロックに同期してテレビジョン受像機３００に転送する。データラインＤ３は、ピクセルコンポーネントＲ（赤色映像データ）および補足データをピクセルクロックに同期してテレビジョン受像機３００に転送する。
テレビジョン受像機３００の受信用信号変換ＩＣ３０１は、データラインＤ１，Ｄ２，Ｄ３により転送されるピクセルコンポーネントおよび補足データをピクセルクロックラインＣＫのピクセルクロックに同期して受信する。映像処理プロセッサ３０２は、受信用信号変換ＩＣ３０１により受信されたピクセルコンポーネントから映像信号を抽出し、映像信号に基づく映像をディスプレイ３０４に表示させる。音声ＤＡＣ回路３０３は、受信用信号変換ＩＣ３０１より受信された補足データに含まれる音声データをアナログの音声信号に変換し、音声信号に基づく音声をスピーカ３０５に出力させる。
マイクロプロセッサ３０６は、映像処理プロセッサ３０２および音声ＤＡＣ回路３０３を制御する。メモリ３０７には、マイクロプロセッサ３０６のソフトウェアが記憶される。マイクロプロセッサ３０８は、拡張機能部３１０を制御する。メモリ３０９には、マイクロプロセッサ３０８のソフトウェアが記憶される。拡張機能部３１０は、映像の表示および音声の出力というテレビジョン受像機３００の本来の機能に追加して設けられる機能を実行する。例えば、拡張機能部３１０は、テレビ放送の録画機能、インターネットへの接続機能等である。
次に、図１のソフトウェア更新システムの動作について図２〜図６のフローチャートを参照しながら説明する。
図２および図３は図１のＤＶＤ再生機器２００のマイクロプロセッサ２０４の処理を示すフローチャートである。
ここで、ＣＤ−ＲＯＭ２０１には、更新用ソフトウェアおよび操作案内情報がＭＰＥＧ形式で記録されている。この更新用ソフトウェアには、ソフトウェアが更新されるべきマイクロプロセッサ２０４，３０６，３０８を示すＩＤ（識別）情報が含まれる。
使用者がＣＤ−ＲＯＭ２０１をＤＶＤ再生機器２００のＣＤ−ＲＯＭドライブ（図示せず）に挿入すると、ＭＰＥＧデコードＩＣ２０２がＣＤ−ＲＯＭ２０１から読み込まれたデータをデコードし、デコードされたデータを送信用信号変換ＩＣ２０３に与える。送信用信号変換ＩＣ２０３は、デコードされたデータをピクセルコンポーネントと補足データとに分ける。
まず、マイクロプロセッサ２０４は、ＭＰＥＧデコードＩＣ２０２により得られた補足データからＩｎｆｏＦｒａｍｅを読み込む（ステップＳ１）。次いで、マイクロプロセッサ２０４は、読み込まれたＩｎｆｏＦｒａｍｅに更新用ソフトウェアが含まれているか否かを判定する（ステップＳ２）。
ＩｎｆｏＦｒａｍｅに更新用ソフトウェアが含まれている場合には、マイクロプロセッサ２０４は、映像および音声による操作案内の表示および出力をコントロールラインＣＴを通して通してテレビジョン受像機３００のマイクロプロセッサ３０６に指示するとともに（ステップＳ３）、送信用信号変換ＩＣ２０３を用いて操作案内情報をピクセルコンポーネントおよび補足データとしてデータラインＤ１，Ｄ２，Ｄ３を通してテレビジョン受像機３００に送信する（ステップＳ４）。これにより、テレビジョン受像機３００のディスプレイ３０４に操作の手順を示す映像が表示されるとともに、スピーカ３０５から操作の手順を示す音声が出力される。
さらに、マイクロプロセッサ２０４は、送信用信号変換ＩＣ２０３から読み込まれたＩｎｆｏＦｒａｍｅ内のＩＤ情報がマイクロプロセッサ２０４のソフトウェアの更新を指示しているか否かを判定する（ステップＳ５）。
ＩＤ情報がマイクロプロセッサ２０４のソフトウェアの更新を指示している場合には、マイクロプロセッサ２０４は、ＩｎｆｏＦｒａｍｅ内の更新用ソフトウェアを用いてメモリ２０５に記憶されたソフトウェアを書き替えることによりメモリ２０５のソフトウェアを更新し（ステップＳ６）、処理を終了する。
ステップＳ５においてＩＤ情報がマイクロプロセッサ２０４のソフトウェアの更新を指示していない場合には、マイクロプロセッサ２０４は、ＩＤ情報に基づいてテレビジョン受像機３００のマイクロプロセッサ３０６または３０８のソフトウェアの更新をコントロールラインＣＴを通してテレビジョン受像機３００のマイクロプロセッサ３０６に指示する（ステップＳ７）。
その後、マイクロプロセッサ２０４は、マイクロプロセッサ３０６がデータを受信可能か否かを判定する（ステップＳ８）。マイクロプロセッサ３０６がデータを受信可能である場合には、マイクロプロセッサ２０４は、送信用信号変換ＩＣ２０３を用いてマイクロプロセッサ３０６または３０８の更新用ソフトウェアをデータラインＤ１，Ｄ２，Ｄ３を通してテレビジョン受像機３００に送信する（ステップＳ９）。
さらに、マイクロプロセッサ２０４は、テレビジョン受像機３００のマイクロプロセッサ３０６からコントロールラインＣＴを通して受信完了通知を受信したか否かを判定する（ステップＳ１０）。マイクロプロセッサ２０４は、マイクロプロセッサ２０４から受信完了通知を受信するまで、ステップＳ９の処理を継続し、マイクロプロセッサ２０４から受信完了通知を受信すると、処理を終了する。
なお、ステップＳ２においてＩｎｆｏＦｒａｍｅ内に更新用ソフトウェアが含まれない場合には、マイクロプロセッサ２０４は処理を終了する。
図４および図５は図１のテレビジョン受像機３００のマイクロプロセッサ３０６の処理を示すフローチャートである。
テレビジョン受像機３００のマイクロプロセッサ３０６は、コントロールラインＣＴをモニタし（ステップＳ２１）、コントロールラインＣＴを通して操作案内の表示および出力が指示されたか否かを判定する（ステップＳ２２）。操作案内の表示および出力が指示された場合には、マイクロプロセッサ３０６は、受信用信号変換ＩＣ３０１を用いてデータラインＤ１，Ｄ２，Ｄ３を通して操作案内情報を受信する（ステップＳ２３）。
次いで、マイクロプロセッサ３０６は、コントロールラインＣＴを通してソフトウェアの更新が指示されたか否かを判定する（ステップＳ２４）。
ソフトウェアの更新が指示された場合には、マイクロプロセッサ３０６は、データを受信可能か否かを判定する（ステップＳ２５）。データを受信可能な場合には、マイクロプロセッサ３０６はコントロールラインＣＴを通してＤＶＤ再生機器２００のマイクロプロセッサ２０４にデータを受信可能であることを通知する（ステップＳ２６）。
次に、マイクロプロセッサ３０６は、受信用信号変換ＩＣ３０１を用いてデータラインＤ１，Ｄ２，Ｄ３を通して更新用ソフトウェアを受信する（ステップＳ２７）。マイクロプロセッサ３０６は、ＤＶＤ再生機器２００からの更新用ソフトウェアの受信が完了したか否かを判定する（ステップＳ２８）。
更新用ソフトウェアの受信が完了した場合には、マイクロプロセッサ３０６は、ＤＶＤ再生機器２００のマイクロプロセッサ２０４にコントロールラインＣＴを通して受信完了通知を送信する（ステップＳ２９）。
次いで、マイクロプロセッサ３０６は、ＩｎｆｏＦｒａｍｅ内のＩＤ情報がマイクロプロセッサ３０６のソフトウェアの更新を指示しているか否かを判定する（ステップＳ３０）。
ＩＤ情報がマイクロプロセッサ３０６のソフトウェアの更新を指示している場合には、マイクロプロセッサ３０６は、ＩｎｆｏＦｒａｍｅ内の更新用ソフトウェアを用いてメモリ３０７に記憶されたソフトウェアを書き替えることによりメモリ３０７のソフトウェアを更新し（ステップＳ３１）、処理を終了する。
ＩＤ情報がマイクロプロセッサ３０６のソフトウェアの更新を指示していない場合には、マイクロプロセッサ３０６は、マイクロプロセッサ３０８にシリアルバスラインＳＢを通してソフトウェアの更新を指示する（ステップＳ３２）。さらに、マイクロプロセッサ３０６は、マイクロプロセッサ３０８にシリアルバスラインＳＢを通して更新用ソフトウェアを送信する（ステップＳ３３）。
その後、マイクロプロセッサ３０６は、マイクロプロセッサ３０８からシリアルバスラインＳＢを通して更新完了通知を受信したか否かを判定する（ステップＳ３４）。マイクロプロセッサ３０８から更新完了通知を受信した場合には、マイクロプロセッサ３０６は、ＤＶＤ再生機器２００のマイクロプロセッサ２０４にコントロールラインＣＴを通して受信完了通知を送信し（ステップＳ３５）、処理を終了する。
図６は図１のテレビジョン受像機３００のマイクロプロセッサ３０８０の処理を示すフローチャートである。
マイクロプロセッサ３０８は、マイクロプロセッサ３０６からシリアルバスラインＳＢを通してソフトウェアの更新が指示されたかを判定する（ステップＳ４１）。マイクロプロセッサ３０６からソフトウェアの更新が指示された場合には、マイクロプロセッサ３０８は、マイクロプロセッサ３０６からシリアルバスラインＳＢを通して更新用ソフトウェアを受信する（ステップＳ４２）。
次いで、マイクロプロセッサ３０８は、マイクロプロセッサ３０６から受信した更新用ソフトウェアを用いてメモリ３０９に記憶されたソフトウェアを書き替えることによりメモリ３０９のソフトウェアを更新する（ステップＳ４３）。
その後、マイクロプロセッサ３０８は、マイクロプロセッサ３０６にシリアルバスラインＳＢを通して更新完了通知を送信する（ステップＳ４４）。
このようにして、ＣＤ−ＲＯＭ２０１にＭＰＥＧ形式で記録された更新用ソフトウェアデータがＩＤ情報に基づいてＤＶＤ再生機器２００のマイクロプロセッサ２０４またはテレビジョン受像機３００マイクロプロセッサ３０６，３０８にダウンロードされ、メモリ２０５，３０７，３０９に記憶されたソフトウェアが更新される。
以上のように、本実施の形態に係るソフトウェア更新システムによれば、ＭＰＥＧ形式で更新用ソフトウェアが記録されたＣＤ−ＲＯＭ２０１をテレビジョン受像機３００に接続されたＤＶＤ再生機器２００に挿入するだけでＤＶＤ再生機器２００またはテレビジョン受像機３００の任意のマイクロプロセッサ２０４，３０６，３０８のソフトウェアを容易に更新することができる。したがって、ソフトウェアの更新のためにサービスマンが各使用者の家庭を訪問して特殊な手法でソフトウェアを更新する必要がなくなる。その結果、サービスコストを大幅に削減することができる。
また、本実施の形態に係るソフトウエア更新システムでは、ＤＶＤ再生機器２００がテレビジョン受像機３００にＨＤＭＩ規格に従うデータラインＤ１，Ｄ２，Ｄ３、ピクセルクロックラインＣＫおよびコントロールラインＣＴにより接続されるので、ＤＶＤ再生機器２００からテレビジョン受像機３００に映像データおよび音声データにより構成される操作案内情報を転送することができる。それにより、テレビジョン受像機３００によりソフトウェアの更新のための操作案内が映像および音声により出力される。したがって、使用者は、映像および音声による操作案内にしたがってソフトウェアの更新のための操作を容易に行うことができる。
本実施の形態では、ＤＶＤ再生機器２００のマイクロプロセッサ２０４からテレビジョン受像機３００のマイクロプロセッサ３０６にコントロールラインＣＴを用いてソフトウェアが更新されるべきマイクロプロセッサを指示しているが、これに限定されず、ＤＶＤ再生機器２００からテレビジョン受像機３００に送信される補足データに含まれるＩｎｆｏＦｒａｍｅを用いてソフトウェアが更新されるべきマイクロプロセッサをマイクロプロセッサ３０６に指示してもよい。
また、本実施の形態では、ＤＶＤ再生機器２００からテレビジョン受像機３００に映像データおよび音声データからなる操作案内情報を送信しているが、ＤＶＤ再生機器２００からテレビジョン受像機３００に音声データからなる操作案内情報を送信してもよく、あるいは映像データからなる操作案内情報を送信してもよい。この場合、テレビジョン受像機３００から音声による操作案内のみが出力されるか、または映像による操作案内のみが出力される。
さらに、本実施の形態では、ＤＶＤ再生機器２００からデータラインＤ１，Ｄ２，Ｄ３にピクセルコンポーネントＢ、ピクセルコンポーネントＧおよびピクセルコンポーネントＲが出力されるが、ＤＶＤ再生機器２００からデータラインＤ１，Ｄ２，Ｄ３に輝度データおよび２つの色差データが出力されてもよい。
本実施の形態では、ＤＶＤ再生機器２００がデータ再生装置に相当し、テレビジョン受像機３００が映像表示装置およびテレビジョン受像機に相当する。また、送信用信号変換ＩＣ２０３が送信部に相当し、マイクロプロセッサ２０４が制御部に相当し、メモリ２０５が記憶装置に相当する。さらに、受信用信号変換ＩＣ３０１が受信部に相当し、映像処理プロセッサ３０２およびディスプレイ３０４が映像表示部に相当し、音声ＤＡＣ回路３０３およびスピーカ３０５が音声出力部に相当する。また、マイクロプロセッサ３０６が処理部に相当し、メモリ３０７が記憶部に相当し、マイクロプロセッサ３０８が他の処理部に相当し、メモリ３０９が他の記憶部に相当する。さらに、ＩｎｆｏＦｒａｍｅが第３の領域に相当する。
【図１】
2004091207.tif 000003
【図２】
2004091207.tif 000004
【図３】
2004091207.tif 000005
【図４】
2004091207.tif 000006
【図５】
2004091207.tif 000007
【図６】
2004091207.tif 000008
【図７】
2004091207.tif 000009
【手続補正書】
【提出日】平成16年9月7日(2004.9.7)
【手続補正００１】
【補正対象書類名】特許請求の範囲
【補正対象項目名】全文
【補正方法】変更
【補正の内容】
【書類名】特許請求の範囲
【請求項１】記録媒体に記録されたデータを再生するとともに、ソフトウェアに従って動作する映像表示装置にインターフェイスバスを通して接続可能なデータ再生装置であって、
記録媒体から読み込まれた映像データおよび音声データをそれぞれ第１の領域および第２の領域を用いて前記インターフェイスバスを通して前記映像表示装置に送信する送信部と、
前記映像表示装置のソフトウェアの更新時に、記録媒体から読み込まれた更新用ソフトウェアを前記第１および第２の領域とは異なる付加データの送信のための第３の領域を用いて前記インターフェイスバスを通して前記映像表示装置に送信するように前記送信部を制御するとともに、前記映像表示装置にソフトウェアの更新を指示する制御部とを備え、
前記インターフェイスバスは、映像データ、音声データおよび付加データを送信するデータラインと、クロック信号を送信するクロックラインと、制御信号を送信するコントロールラインとを含み、
前記第１の領域は映像データの映像期間であり、前記第２および第３の領域は映像データのブランキング期間内にあり、
前記送信部は、前記クロックラインにクロック信号を出力するとともに、クロック信号に同期して前記第３の領域を用いて更新用ソフトウェアをデータラインを通して送信する、データ再生装置。
【請求項２】記録媒体には、ソフトウェアの更新に関する関連情報がさらに記録され、
前記制御部は、前記映像表示装置のソフトウェアの更新時に、記録媒体から読み込まれた関連情報を前記第１の領域および／または前記第２の領域を用いて前記インターフェイスバスを通して前記映像表示装置に送信するように前記送信部を制御する、請求項１記載のデータ再生装置。
【請求項３】前記関連情報は音声データを含み、
前記制御部は、前記映像表示装置のソフトウェアの更新時に、記録媒体から読み込まれた関連情報の音声データを前記第２の領域を用いて前記インターフェイスバスを通して前記映像表示装置に送信するように前記送信部を制御する、請求項２記載のデータ再生装置。
【請求項４】前記関連情報は映像データを含み、
前記制御部は、前記映像表示装置のソフトウェアの更新時に、記録媒体から読み込まれた関連情報の映像データを前記第１の領域を用いて前記インターフェイスバスを通して前記映像表示装置に送信するように前記送信部を制御する、請求項２記載のデータ再生装置。
【請求項５】前記関連情報は、ソフトウェアの更新の操作手順を示す操作案内情報を含む、請求項２記載のデータ再生装置。
【請求項６】（削除）
【請求項７】前記更新用ソフトウェアは、ソフトウェアが更新されるべき対象を識別するための識別情報を含み、
前記制御部は、前記識別情報に基づいて前記映像表示装置にソフトウェアの更新を指示する、請求項１記載のデータ再生装置。
【請求項８】前記制御部のためのソフトウェアを記憶する記憶装置をさらに備え、
前記制御部は、前記識別情報が前記映像表示装置を示している場合には前記映像表示装置にソフトウェアの更新を指示し、前記識別情報が前記制御部のソフトウェアの更新を示している場合には記録媒体から読み込まれた更新用ソフトウェアを用いて前記記憶装置に記憶されるソフトウェアを更新する、請求項７記載のデータ再生装置。
【請求項９】データ再生装置にインターフェイスバスを通して接続可能な映像表示装置であって、
前記インターフェイスバスは、映像データ、音声データおよび付加データを送信するデータラインと、クロック信号を送信するクロックラインと、制御信号を送信するコントロールラインとを含み、
前記第１の領域は映像データの映像期間であり、前記第２および第３の領域は映像データのブランキング期間内にあり、
前記データ再生装置により前記インターフェイスバスを通してそれぞれ第１の領域および第２の領域を用いて送信される映像データおよび音声データを受信し、前記データ再生装置により前記クロックラインに出力されるクロック信号に同期して前記第１および第２の領域と異なる付加データのための第３の領域を用いて送信される更新用ソフトウェアを受信する受信部と、
前記受信部により受信された音声データに基づいて音声を出力する音声出力部と、
前記受信部により受信された映像データに基づいて映像を表示する映像表示部と、
前記映像表示部および前記音声出力部を制御する処理部と、
前記処理部のためのソフトウェアを記憶する記憶部とを備え、
前記処理部は、前記第３の領域を用いて前記インターフェイスバスを通して送信される更新用ソフトウェアが前記受信部により受信されかつ前記データ再生装置からソフトウェアの更新が指示された場合に、前記受信部により受信された更新用ソフトウェアを用いて前記記憶部に記憶されたソフトウェアを更新する、映像表示装置。
【請求項１０】前記処理部は、前記インターフェイスバスを通して前記第１の領域および／または第２の領域を用いて送信されるソフトウェアの更新に関する関連情報を受信するように前記受信部を制御し、前記受信部により受信された関連情報に基づいて前記映像表示部に映像を表示させるとともに前記音声出力部に音声を出力させる、請求項９記載の映像表示装置。
【請求項１１】拡張機能を実行する拡張機能部と、
前記拡張機能部を制御する他の処理部と、
前記拡張機能用処理部のためのソフトウェアを記憶する他の記憶部とをさらに備え、
前記処理部は、前記データ再生装置により前記他の処理部のソフトウェアの更新が指示された場合に、前記他の処理部に前記受信部により受信された更新用ソフトウェアを送信するとともに前記他の処理部にソフトウェアの更新を指示し、
前記他の処理部は、前記処理部の指示に従って前記処理部から送信された更新用ソフトウェアを用いて前記他の記憶部に記憶されたソフトウェアを更新する、請求項９記載の映像表示装置。
【請求項１２】ソフトウェアに従って動作する映像表示装置と、
記録媒体に記録されたデータを再生するとともに前記映像表示装置にインターフェイスバスを通して接続可能なデータ再生装置とを備え、
前記データ再生装置は、
記録媒体から読み込まれた映像データおよび音声データをそれぞれ第１の領域および第２の領域を用いて前記インターフェイスバスを通して前記映像表示装置に送信する送信部と、
前記映像表示装置のソフトウェアの更新時に、記録媒体から読み込まれた更新用ソフトウェアを前記第１および第２の領域とは異なる付加データの送信のための第３の領域を用いて前記インターフェイスバスを通して前記映像表示装置に送信するように前記送信部を制御するとともに、前記映像表示装置にソフトウェアの更新を指示する制御部とを含み、
前記インターフェイスバスは、映像データ、音声データおよび付加データを送信するデータラインと、クロック信号を送信するクロックラインと、制御信号を送信するコントロールラインとを含み、
前記第１の領域は映像データの映像期間であり、前記第２および第３の領域は映像データのブランキング期間内にあり、
前記送信部は、前記クロックラインにクロック信号を出力するとともに、クロック信号に同期して前記第３の領域を用いて更新用ソフトウェアをデータラインを通して送信し、
前記映像表示装置は、
前記データ再生装置により前記インターフェイスバスを通してそれぞれ前記第１の領域および第２の領域を用いて送信される映像データおよび音声データを受信する受信部と、
前記受信部により受信された音声データに基づいて音声を出力する音声出力部と、
前記受信部により受信された映像データに基づいて映像を表示する映像表示部と、
前記映像表示部および前記音声出力部を制御する処理部と、
前記処理部のためのソフトウェアを記憶する記憶部とを備え、
前記処理部は、前記第３の領域を用いて前記インターフェイスバスを通して送信される更新用ソフトウェアが前記受信部により受信されかつ前記データ再生装置からソフトウェアの更新が指示された場合に、前記受信部により受信された更新用ソフトウェアを用いて前記記憶部に記憶されたソフトウェアを更新する、ソフトウェア更新システム。
【請求項１３】前記映像表示装置はテレビジョン受像機を含む、請求項１２記載のソフトウエア更新システム。
【請求項１４】記録媒体に記録されたデータを再生するとともに前記映像表示装置にインターフェイスバスを通して接続可能なデータ再生装置を用いて映像表示装置のソフトウェアを更新するソフトウェア更新方法であって、
前記映像表示装置のソフトウェアの更新時に、前記データ再生装置により記録媒体から読み込まれた更新用ソフトウェアを映像データの送信のための第１の領域および音声データの送信のための第２の領域を除く付加データの送信のための第３の領域を用いて前記インターフェイスバスを通して前記映像表示装置に送信するステップと、
前記データ再生装置により前記映像表示装置にソフトウェアの更新を指示するステップと、
前記データ再生装置から前記映像表示装置にソフトウェアの更新が指示された場合に、前記第３の領域を用いて前記インターフェイスバスを通して送信される更新用ソフトウェアを前記映像表示装置により受信するステップと、
前記受信された更新用ソフトウェアを用いて前記映像表示装置のソフトウェアを更新するステップとを備え、
前記インターフェイスバスは、映像データ、音声データおよび付加データを送信するデータラインと、クロック信号を送信するクロックラインと、制御信号を送信するコントロールラインとを含み、
前記第１の領域は映像データの映像期間であり、前記第２および第３の領域は映像データのブランキング期間内にあり、
前記送信するステップは、前記クロックラインにクロック信号を出力するとともに、クロック信号に同期して前記第３の領域を用いて更新用ソフトウェアをデータラインを通して送信するステップを含む、請求項１記載のデータ再生装置。




【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
記録媒体に記録されたデータを再生するとともに、ソフトウェアに従って動作する映像表示装置にインターフェイスバスを通して接続可能なデータ再生装置であって、
記録媒体から読み込まれた映像データおよび音声データをそれぞれ第１の領域および第２の領域を用いて前記インターフェイスバスを通して前記映像表示装置に送信する送信部と、
前記映像表示装置のソフトウェアの更新時に、記録媒体から読み込まれた更新用ソフトウェアを前記第１および第２の領域とは異なる付加データの送信のための第３の領域を用いて前記インターフェイスバスを通して前記映像表示装置に送信するように前記送信部を制御するとともに、前記映像表示装置にソフトウェアの更新を指示する制御部とを備え、
前記インターフェイスバスは、映像データ、音声データおよび付加データを送信するデータラインと、クロック信号を送信するクロックラインと、制御信号を送信するコントロールラインとを含み、
前記第１の領域は映像データの映像期間であり、前記第２および第３の領域は映像データのブランキング期間内にあり、
前記送信部は、前記クロックラインにクロック信号を出力するとともに、クロック信号に同期して前記第３の領域を用いて更新用ソフトウェアをデータラインを通して送信する、データ再生装置。
【請求項２】
記録媒体には、ソフトウェアの更新に関する関連情報がさらに記録され、
前記制御部は、前記映像表示装置のソフトウェアの更新時に、記録媒体から読み込まれた関連情報を前記第１の領域および／または前記第２の領域を用いて前記インターフェイスバスを通して前記映像表示装置に送信するように前記送信部を制御する、請求項１記載のデータ再生装置。
【請求項３】
前記関連情報は音声データを含み、
前記制御部は、前記映像表示装置のソフトウェアの更新時に、記録媒体から読み込まれた関連情報の音声データを前記第２の領域を用いて前記インターフェイスバスを通して前記映像表示装置に送信するように前記送信部を制御する、請求項２記載のデータ再生装置。
【請求項４】
前記関連情報は映像データを含み、
前記制御部は、前記映像表示装置のソフトウェアの更新時に、記録媒体から読み込まれた関連情報の映像データを前記第１の領域を用いて前記インターフェイスバスを通して前記映像表示装置に送信するように前記送信部を制御する、請求項２記載のデータ再生装置。
【請求項５】
前記関連情報は、ソフトウェアの更新の操作手順を示す操作案内情報を含む、請求項２記載のデータ再生装置。
【請求項６】
前記更新用ソフトウェアは、ソフトウェアが更新されるべき対象を識別するための識別情報を含み、
前記制御部は、前記識別情報に基づいて前記映像表示装置にソフトウェアの更新を指示する、請求項１記載のデータ再生装置。
【請求項７】
前記制御部のためのソフトウェアを記憶する記憶装置をさらに備え、
前記制御部は、前記識別情報が前記映像表示装置を示している場合には前記映像表示装置にソフトウェアの更新を指示し、前記識別情報が前記制御部のソフトウェアの更新を示している場合には記録媒体から読み込まれた更新用ソフトウェアを用いて前記記憶装置に記憶されるソフトウェアを更新する、請求項６記載のデータ再生装置。
【請求項８】
データ再生装置にインターフェイスバスを通して接続可能な映像表示装置であって、
前記インターフェイスバスは、映像データ、音声データおよび付加データを送信するデータラインと、クロック信号を送信するクロックラインと、制御信号を送信するコントロールラインとを含み、
前記データ再生装置により前記インターフェイスバスを通してそれぞれ第１の領域および第２の領域を用いて送信される映像データおよび音声データを受信し、前記データ再生装置により前記クロックラインに出力されるクロック信号に同期して前記第１および第２の領域と異なる付加データのための第３の領域を用いて送信される更新用ソフトウェアを受信する受信部と、
前記受信部により受信された音声データに基づいて音声を出力する音声出力部と、
前記受信部により受信された映像データに基づいて映像を表示する映像表示部と、
前記映像表示部および前記音声出力部を制御する処理部と、
前記処理部のためのソフトウェアを記憶する記憶部とを備え、
前記第１の領域は映像データの映像期間であり、前記第２および第３の領域は映像データのブランキング期間内にあり、
前記処理部は、前記第３の領域を用いて前記インターフェイスバスを通して送信される更新用ソフトウェアが前記受信部により受信されかつ前記データ再生装置からソフトウェアの更新が指示された場合に、前記受信部により受信された更新用ソフトウェアを用いて前記記憶部に記憶されたソフトウェアを更新する、映像表示装置。
【請求項９】
前記処理部は、前記インターフェイスバスを通して前記第１の領域および／または第２の領域を用いて送信されるソフトウェアの更新に関する関連情報を受信するように前記受信部を制御し、前記受信部により受信された関連情報に基づいて前記映像表示部に映像を表示させるとともに前記音声出力部に音声を出力させる、請求項８記載の映像表示装置。
【請求項１０】
拡張機能を実行する拡張機能部と、
前記拡張機能部を制御する他の処理部と、
前記拡張機能用処理部のためのソフトウェアを記憶する他の記憶部とをさらに備え、
前記処理部は、前記データ再生装置により前記他の処理部のソフトウェアの更新が指示された場合に、前記他の処理部に前記受信部により受信された更新用ソフトウェアを送信するとともに前記他の処理部にソフトウェアの更新を指示し、
前記他の処理部は、前記処理部の指示に従って前記処理部から送信された更新用ソフトウェアを用いて前記他の記憶部に記憶されたソフトウェアを更新する、請求項８記載の映像表示装置。
【請求項１１】
ソフトウェアに従って動作する映像表示装置と、
記録媒体に記録されたデータを再生するとともに前記映像表示装置にインターフェイスバスを通して接続可能なデータ再生装置とを備え、
前記データ再生装置は、
記録媒体から読み込まれた映像データおよび音声データをそれぞれ第１の領域および第２の領域を用いて前記インターフェイスバスを通して前記映像表示装置に送信する送信部と、
前記映像表示装置のソフトウェアの更新時に、記録媒体から読み込まれた更新用ソフトウェアを前記第１および第２の領域とは異なる付加データの送信のための第３の領域を用いて前記インターフェイスバスを通して前記映像表示装置に送信するように前記送信部を制御するとともに、前記映像表示装置にソフトウェアの更新を指示する制御部とを含み、
前記インターフェイスバスは、映像データ、音声データおよび付加データを送信するデータラインと、クロック信号を送信するクロックラインと、制御信号を送信するコントロールラインとを含み、
前記第１の領域は映像データの映像期間であり、前記第２および第３の領域は映像データのブランキング期間内にあり、
前記送信部は、前記クロックラインにクロック信号を出力するとともに、クロック信号に同期して前記第３の領域を用いて更新用ソフトウェアをデータラインを通して送信し、
前記映像表示装置は、
前記データ再生装置により前記インターフェイスバスを通してそれぞれ前記第１の領域および第２の領域を用いて送信される映像データおよび音声データを受信する受信部と、
前記受信部により受信された音声データに基づいて音声を出力する音声出力部と、
前記受信部により受信された映像データに基づいて映像を表示する映像表示部と、
前記映像表示部および前記音声出力部を制御する処理部と、
前記処理部のためのソフトウェアを記憶する記憶部とを備え、
前記処理部は、前記第３の領域を用いて前記インターフェイスバスを通して送信される更新用ソフトウェアが前記受信部により受信されかつ前記データ再生装置からソフトウェアの更新が指示された場合に、前記受信部により受信された更新用ソフトウェアを用いて前記記憶部に記憶されたソフトウェアを更新する、ソフトウェア更新システム。
【請求項１２】
前記映像表示装置はテレビジョン受像機を含む、請求項１１記載のソフトウエア更新システム。
【請求項１３】
記録媒体に記録されたデータを再生するとともに映像表示装置にインターフェイスバスを通して接続可能なデータ再生装置を用いて映像表示装置のソフトウェアを更新するソフトウェア更新方法であって、
前記映像表示装置のソフトウェアの更新時に、前記データ再生装置により記録媒体から読み込まれた更新用ソフトウェアを映像データの送信のための第１の領域および音声データの送信のための第２の領域を除く付加データの送信のための第３の領域を用いて前記インターフェイスバスを通して前記映像表示装置に送信するステップと、
前記データ再生装置により前記映像表示装置にソフトウェアの更新を指示するステップと、
前記データ再生装置から前記映像表示装置にソフトウェアの更新が指示された場合に、前記第３の領域を用いて前記インターフェイスバスを通して送信される更新用ソフトウェアを前記映像表示装置により受信するステップと、
前記受信された更新用ソフトウェアを用いて前記映像表示装置のソフトウェアを更新するステップとを備え、
前記インターフェイスバスは、映像データ、音声データおよび付加データを送信するデータラインと、クロック信号を送信するクロックラインと、制御信号を送信するコントロールラインとを含み、
前記第１の領域は映像データの映像期間であり、前記第２および第３の領域は映像データのブランキング期間内にあり、
前記送信するステップは、前記クロックラインにクロック信号を出力するとともに、クロック信号に同期して前記第３の領域を用いて更新用ソフトウェアをデータラインを通して送信するステップを含む、ソフトウェア更新方法。
【手続補正２】
【補正対象書類名】明細書
【補正対象項目名】全文
【補正方法】変更
【補正の内容】
【発明の詳細な説明】
【技術分野】
【０００１】
本発明は、データ再生装置、映像表示装置、それらを用いたソフトウェア更新システムおよびソフトウェア更新方法に関する。
【背景技術】
【０００２】
テレビジョン受像機においてソフトウェアに不具合が生じた場合には、それを修正するためにソフトウェアを更新する必要がある。そこで、テレビジョン受像機のソフトウェアを更新するためのソフトウェア更新回路が提案されている。例えば、特開平１０−１６４４４６号公報に記載されたソフトウェア更新回路では、市場調整モードにてテレビジョン受像機の種々の入出力端子からソフトウェア変更を可能にする切り替えスイッチが設けられている。
【０００３】
図７は従来のソフトウェア更新回路を示すブロック図である。図７において、ソフトウェア更新回路は、フラッシュＲＯＭ（リードオンリメモリ）内蔵マイクロプロセッサ１０１、切り替え回路１０３および信号処理部１０４を備える。
【０００４】
マイクロプロセッサ１０１のフラッシュＲＯＭには、ソフトウェア１０９が書き込まれている。マイクロプロセッサ１０１は、クロック・データライン切り替え信号１０２を切り替え回路１０３に出力する。切り替え回路１０３は、ソフトウェアを更新するためのクロック・データ信号１０８をマイクロプロセッサ１０１に与える。
【０００５】
テレビジョン受像機は、Ｓ映像入力端子１０５を有する。このＳ映像入力端子１０５は、輝度信号入力端子部１０６および色信号入力端子部１０７を含む。Ｓ映像入力端子１０５には、ソフトウェアを更新するためのボードまたはパーソナルコンピュータ１１０が接続される。
【０００６】
図７の例において、テレビジョン受像機が市場調整モードに入ると、ソフトウェア更新用ボードまたはパーソナルコンピュータ１１０から更新用ソフトウェアが輝度信号入力端子部１０６、色信号入力端子部１０７および切り替え回路１０３を経由してクロック・データ信号１０８としてマイクロプロセッサ１０１に入力される。
【０００７】
このようにして、マイクロプロセッサ１０１のソフトウェア１０９がソフトウェア更新用ボードまたはパーソナルコンピュータ１１０からのクロック・データ信号１０８により更新される。
【０００８】
しかしながら、上記の従来のソフトウェア更新回路では、ソフトウェアを更新するためにサービスマンが家庭を訪問してテレビジョン受像機を市場調整モードに設定した上で、特別なソフトウェア更新用ボードまたはパーソナルコンピュータ１１０をテレビジョン受像機のＳ映像入力端子１０５に接続しなければならない。
【０００９】
また、上記のソフトウェア更新のための条件が満たされても。ソフトウェアの更新の操作は複雑であり、一般家庭において使用者が自分でソフトウェアを更新することはできず、必ずサービスマンが家庭を訪問しなければならない。
【発明の開示】
【００１０】
本発明の目的は、使用者が映像表示装置のソフトウェアを容易に更新することを可能にするデータ再生装置を提供することである。
【００１１】
本発明の他の目的は、使用者がソフトウェアを容易に更新することができる映像表示装置を提供することである。
【００１２】
本発明のさらに他の目的は、使用者が映像表示装置のソフトウェアを容易に更新することを可能にするソフトウェア更新システムおよびソフトウェア更新方法を提供することがである。
【００１３】
本発明の一局面に従うデータ再生装置は、記録媒体に記録されたデータを再生するとともに、ソフトウェアに従って動作する映像表示装置にインターフェイスバスを通して接続可能なデータ再生装置であって、記録媒体から読み込まれた映像データおよび音声データをそれぞれ第１の領域および第２の領域を用いてインターフェイスバスを通して映像表示装置に送信する送信部と、映像表示装置のソフトウェアの更新時に、記録媒体から読み込まれた更新用ソフトウェアを第１および第２の領域とは異なる付加データの送信のための第３の領域を用いてインターフェイスバスを通して映像表示装置に送信するように送信部を制御するとともに、映像表示装置にソフトウェアの更新を指示する制御部とを備え、インターフェイスバスは、映像データ、音声データおよび付加データを送信するデータラインと、クロック信号を送信するクロックラインと、制御信号を送信するコントロールラインとを含み、第１の領域は映像データの映像期間であり、第２および第３の領域は映像データのブランキング期間内にあり、送信部は、クロックラインにクロック信号を出力するとともに、クロック信号に同期して第３の領域を用いて更新用ソフトウェアをデータラインを通して送信するものである。
【００１４】
そのデータ再生装置においては、記録媒体から読み込まれた映像データおよび音声データがそれぞれ第１の領域および第２の領域を用いてインターフェイスバスを通して送信部により映像表示装置に送信される。それにより、映像表示装置において映像データに基づいて映像が表示されるとともに、音声データに基づいて音声が出力される。
【００１５】
映像表示装置のソフトウェアの更新時には、記録媒体から読み込まれた更新用ソフトウェアが付加データの送信のための第３の領域を用いてインターフェイスバスを通して映像表示装置に送信されるように制御部により送信部が制御される。また、制御部により映像表示装置にソフトウェアの更新が指示される。それにより、映像表示装置のソフトウェアが更新用ソフトウェアを用いて更新される。
【００１６】
この場合、記録媒体から読み込まれた映像データ、音声データおよび付加データがデータラインを通して映像表示装置に送信され、クロック信号がクロックラインを通して送信され、制御信号がコントロールラインを通して送信される。更新用ソフトウェアは、クロック信号に同期して映像データのブランキング間内の付加データのための第３の領域を用いて送信される。このように、データ再生装置と映像表示装置とを接続するインターフェイスバスを用いて映像表示装置のソフトウェアを更新することができる。
【００１７】
このようにして、使用者はデータ再生装置を用いて映像表示装置のソフトウェアを容易に更新することが可能となる。
【００１８】
記録媒体には、ソフトウェアの更新に関する関連情報がさらに記録され、制御部は、映像表示装置のソフトウェアの更新時に、記録媒体から読み込まれた関連情報を第１の領域および／または第２の領域を用いてインターフェイスバスを通して映像表示装置に送信するように送信部を制御してもよい。
【００１９】
この場合、映像表示装置のソフトウェアの更新時に、記録媒体から読み込まれた関連情報が第１の領域および／または第２の領域を用いてインターフェイスバスを通して映像表示装置に送信される。それにより、映像表示装置において、ソフトウェアの更新に関する関連情報を表示または出力することが可能となる。
【００２０】
関連情報は音声データを含み、制御部は、映像表示装置のソフトウェアの更新時に、記録媒体から読み込まれた関連情報の音声データを第２の領域を用いてインターフェイスバスを通して映像表示装置に送信するように送信部を制御してもよい。
【００２１】
この場合、映像表示装置のソフトウェアの更新時に、記録媒体から読み込まれた関連情報の音声データが第２の領域を用いてインターフェイスバスを通して映像表示装置に送信される。それにより、映像表示装置において、ソフトウェアの更新に関する関連情報を音声として出力することが可能となる。
【００２２】
関連情報は映像データを含み、制御部は、映像表示装置のソフトウェアの更新時に、記録媒体から読み込まれた関連情報の映像データを第１の領域を用いてインターフェイスバスを通して映像表示装置に送信するように送信部を制御してもよい。
【００２３】
この場合、映像表示装置のソフトウェアの更新時に、記録媒体から読み込まれた関連情報の映像データが第１の領域を用いてインターフェイスバスを通して映像表示装置に送信される。それにより、映像表示装置において、ソフトウェアの更新に関する関連情報を映像として表示することができる。
【００２４】
関連情報は、ソフトウェアの更新の操作手順を示す操作案内情報を含んでもよい。
【００２５】
この場合、映像表示装置のソフトウェアの更新時に、ソフトウェアの更新の操作手順を示す操作案内情報が第１の領域および／または第２の領域を用いてインターフェイスバスを通して映像表示装置に送信される。それにより、映像表示装置において、ソフトウェアの更新の操作手順を表示または出力することが可能となる。
【００２６】
更新用ソフトウェアは、ソフトウェアが更新されるべき対象を識別するための識別情報を含み、制御部は、識別情報に基づいて映像表示装置にソフトウェアの更新を指示してもよい。
【００２７】
この場合、識別情報に基づいて映像表示装置においてソフトウェアが更新されるべき対象を指示することができる。
【００２８】
制御部のためのソフトウェアを記憶する記憶装置をさらに備え、制御部は、識別情報が映像表示装置を示している場合には映像表示装置にソフトウェアの更新を指示し、識別情報が制御部のソフトウェアの更新を示している場合には記録媒体から読み込まれた更新用ソフトウェアを用いて記憶装置に記憶されるソフトウェアを更新してもよい。
【００２９】
この場合、識別情報が映像表示装置を示している場合には、制御部により映像表示装置にソフトウェアの更新が指示され、識別情報が制御部のソフトウェアの更新を指示している場合には、記録媒体から読み込まれた更新用ソフトウェアを用いて記憶装置に記憶されるソフトウェアが更新される。それにより、映像表示装置のソフトウェアおよびデータ再生装置の制御部のソフトウェアを選択的に更新することができる。
【００３０】
本発明の他の局面に従う映像表示装置は、データ再生装置にインターフェイスバスを通して接続可能な映像表示装置であって、インターフェイスバスは、映像データ、音声データおよび付加データを送信するデータラインと、クロック信号を送信するクロックラインと、制御信号を送信するコントロールラインとを含み、データ再生装置によりインターフェイスバスを通してそれぞれ第１の領域および第２の領域を用いて送信される映像データおよび音声データを受信し、データ再生装置によりクロックラインに出力されるクロック信号に同期して第１および第２の領域と異なる付加データのための第３の領域を用いて送信される更新用ソフトウェアを受信する受信部と、受信部により受信された音声データに基づいて音声を出力する音声出力部と、受信部により受信された映像データに基づいて映像を表示する映像表示部と、映像表示部および音声出力部を制御する処理部と、処理部のためのソフトウェアを記憶する記憶部とを備え、第１の領域は映像データの映像期間であり、第２および第３の領域は映像データのブランキング期間内にあり、処理部は、第３の領域を用いてインターフェイスバスを通して送信される更新用ソフトウェアが受信部により受信されかつデータ再生装置からソフトウェアの更新が指示された場合に、受信部により受信された更新用ソフトウェアを用いて記憶部に記憶されたソフトウェアを更新するものである。
【００３１】
その映像表示装置においては、データ再生装置によりそれぞれ第１の領域および第２の領域を用いて送信される映像データおよび音声データがインターフェイスバスを通して受信部により受信される。受信部により受信された音声データに基づいて音声出力部により音声が出力され、受信部により受信された映像データに基づいて映像表示部により映像が表示される。
【００３２】
また、付加データの送信のための第３の領域を用いてインターフェイスバスを通して受信部により更新用ソフトウェアが受信されかつデータ再生装置からソフトウェアの更新が指示された場合に、受信された更新用ソフトウェアを用いて記憶装置に記憶されたソフトウェアが更新される。
【００３３】
この場合、記録媒体から読み込まれた映像データ、音声データおよび付加データがデータラインを通して映像表示装置に送信され、クロック信号がクロックラインを通して送信され、制御信号がコントロールラインを通して送信される。更新用ソフトウェアは、クロック信号に同期して映像データのブランキング間内の付加データのための第３の領域を用いて送信される。このように、データ再生装置と映像表示装置とを接続するインターフェイスバスを用いて映像表示装置のソフトウェアを更新することができる。
【００３４】
このようにして、データ再生装置を用いて映像表示装置のソフトウェアを容易に更新することができる。
【００３５】
処理部は、インターフェイスバスを通して第１の領域および／または第２の領域を用いて送信されるソフトウェアの更新に関する関連情報を受信するように受信部を制御し、受信部により受信された関連情報に基づいて映像表示部に映像を表示させるとともに音声出力部に音声を出力させてもよい。
【００３６】
この場合、インターフェイスバスを通して第１の領域および／または第２の領域を用いて送信されるソフトウェアの更新に関する関連情報が受信部により受信される。受信された関連情報に基づいて映像表示部により映像が表示されるとともに、音声出力部により音声が出力される。それにより、使用者は、ソフトウェアの更新に関する関連情報を映像および音声により容易に認識することが可能となる。
【００３７】
映像表示装置は、拡張機能を実行する拡張機能部と、拡張機能部を制御する他の処理部と、拡張機能用処理部のためのソフトウェアを記憶する他の記憶部とをさらに備え、処理部は、データ再生装置により他の処理部のソフトウェアの更新が指示された場合に、他の処理部に受信部により受信された更新用ソフトウェアを送信するとともに他の処理部にソフトウェアの更新を指示し、他の処理部は、処理部の指示に従って処理部から送信された更新用ソフトウェアを用いて他の記憶部に記憶されたソフトウェアを更新してもよい。
【００３８】
この場合、データ再生装置により映像表示装置の他の処理部のソフトウェアの更新が指示された場合に、受信された更新用ソフトウェアが他の処理部に送信されるとともに他の処理部にソフトウェアの更新が指示される。それにより、更新用ソフトウェアを用いて他の処理部により他の記憶部に記憶されたソフトウェアが更新される。このように、データ再生装置を用いて映像表示装置の複数の処理部のソフトウェアを容易に更新することができる。
【００３９】
映像表示装置はテレビジョン受像機を含んでもよい。この場合、データ再生装置によりテレビジョン受像機のソフトウェアを容易に更新することができる。
【００４０】
本発明のさらに他の局面に従うソフトウェア更新システムは、ソフトウェアに従って動作する映像表示装置と、記録媒体に記録されたデータを再生するとともに映像表示装置にインターフェイスバスを通して接続可能なデータ再生装置とを備え、データ再生装置は、記録媒体から読み込まれた映像データおよび音声データをそれぞれ第１の領域および第２の領域を用いてインターフェイスバスを通して映像表示装置に送信する送信部と、映像表示装置のソフトウェアの更新時に、記録媒体から読み込まれた更新用ソフトウェアを第１および第２の領域とは異なる付加データの送信のための第３の領域を用いてインターフェイスバスを通して映像表示装置に送信するように送信部を制御するとともに、映像表示装置にソフトウェアの更新を指示する制御部とを含み、インターフェイスバスは、映像データ、音声データおよび付加データを送信するデータラインと、クロック信号を送信するクロックラインと、制御信号を送信するコントロールラインとを含み、第１の領域は映像データの映像期間であり、第２および第３の領域は映像データのブランキング期間内にあり、送信部は、クロックラインにクロック信号を出力するとともに、クロック信号に同期して第３の領域を用いて更新用ソフトウェアをデータラインを通して送信し、映像表示装置は、データ再生装置によりインターフェイスバスを通してそれぞれ第１の領域および第２の領域を用いて送信される映像データおよび音声データを受信する受信部と、受信部により受信された音声データに基づいて音声を出力する音声出力部と、受信部により受信された映像データに基づいて映像を表示する映像表示部と、映像表示部および音声出力部を制御する処理部と、処理部のためのソフトウェアを記憶する記憶部とを備え、処理部は、第３の領域を用いてインターフェイスバスを通して送信される更新用ソフトウェアが受信部により受信されかつデータ再生装置からソフトウェアの更新が指示された場合に、受信部により受信された更新用ソフトウェアを用いて記憶部に記憶されたソフトウェアを更新するものである。
【００４１】
データ再生装置において、記録媒体から読み込まれた映像データおよび音声データがそれぞれ第１の領域および第２の領域を用いてインターフェイスバスを通して送信部により映像表示装置に送信される。それにより、映像表示装置においては、データ再生装置によりそれぞれ第１の領域および第２の領域を用いて送信される映像データおよび音声データがインターフェイスバスを通して受信部により受信される。受信部により受信された音声データに基づいて音声出力部により音声が出力され、受信部により受信された映像データに基づいて映像表示部により映像が表示される。
【００４２】
映像表示装置のソフトウェアの更新時には、記録媒体から読み込まれた更新用ソフトウェアが付加データの送信のための第３の領域を用いてインターフェイスバスを通して映像表示装置に送信されるように制御部により送信部が制御される。また、制御部により映像表示装置にソフトウェアの更新が指示される。それにより、映像表示装置において、受信された更新用ソフトウェアを用いて記憶装置に記憶されたソフトウェアが更新される。
【００４３】
この場合、記録媒体から読み込まれた映像データ、音声データおよび付加データがデータラインを通して映像表示装置に送信され、クロック信号がクロックラインを通して送信され、制御信号がコントロールラインを通して送信される。更新用ソフトウェアは、クロック信号に同期して映像データのブランキング間内の付加データのための第３の領域を用いて送信される。このように、データ再生装置と映像表示装置とを接続するインターフェイスバスを用いて映像表示装置のソフトウェアを更新することができる。
【００４４】
このようにして、データ再生装置を用いて映像表示装置のソフトウェアを容易に更新することができる。
【００４５】
本発明のさらに他の局面に従うソフトウェア更新方法は、記録媒体に記録されたデータを再生するとともに映像表示装置にインターフェイスバスを通して接続可能なデータ再生装置を用いて映像表示装置のソフトウェアを更新するソフトウェア更新方法であって、映像表示装置のソフトウェアの更新時に、データ再生装置により記録媒体から読み込まれた更新用ソフトウェアを映像データの送信のための第１の領域および音声データの送信のための第２の領域を除く付加データの送信のための第３の領域を用いてインターフェイスバスを通して映像表示装置に送信するステップと、データ再生装置により映像表示装置にソフトウェアの更新を指示するステップと、データ再生装置から映像表示装置にソフトウェアの更新が指示された場合に、第３の領域を用いてインターフェイスバスを通して送信される更新用ソフトウェアを映像表示装置により受信するステップと、受信された更新用ソフトウェアを用いて映像表示装置のソフトウェアを更新するステップとを備え、インターフェイスバスは、映像データ、音声データおよび付加データを送信するデータラインと、クロック信号を送信するクロックラインと、制御信号を送信するコントロールラインとを含み、第１の領域は映像データの映像期間であり、第２および第３の領域は映像データのブランキング期間内にあり、送信するステップは、クロックラインにクロック信号を出力するとともに、クロック信号に同期して第３の領域を用いて更新用ソフトウェアをデータラインを通して送信するステップを含むものである。
【００４６】
そのソフトウェア更新方法においては、映像表示装置のソフトウェアの更新時に、データ再生装置により記録媒体から読み込まれた更新用ソフトウェアが映像データの送信のための第１の領域および音声データの送信のための第２の領域を除く付加データの送信のための第３の領域を用いてインターフェイスバスを通して映像表示装置に送信される。データ再生装置から映像表示装置にソフトウェアの更新が指示された場合に、第３の領域を用いてインターフェイスバスを通して送信される更新用ソフトウェアが映像表示装置により受信される。受信された更新用ソフトウェアを用いて映像表示装置のソフトウェアが更新される。
【００４７】
この場合、記録媒体から読み込まれた映像データ、音声データおよび付加データがデータラインを通して映像表示装置に送信され、クロック信号がクロックラインを通して送信され、制御信号がコントロールラインを通して送信される。更新用ソフトウェアは、クロック信号に同期して映像データのブランキング間内の付加データのための第３の領域を用いて送信される。このように、データ再生装置と映像表示装置とを接続するインターフェイスバスを用いて映像表示装置のソフトウェアを更新することができる。
【００４８】
このようにして、データ再生装置を用いて映像表示装置のソフトウェアを容易に更新することができる。
【発明を実施するための最良の形態】
【００４９】
図１は本発明の一実施の形態に係るソフトウェア更新システムの構成を示すブロック図である。
【００５０】
図１に示すように、ソフトウェア更新システムは、ＤＶＤ（デジタルバーサタイルディスク）再生機器２００およびテレビジョン受像機３００により構成される。テレビジョン受像機３００にＤＶＤ再生機器２００が接続されている。ＣＤ−ＲＯＭ（コンパクトディスク−ランダムアクセスメモリ）２０１には、更新用ソフトウェアおよび操作案内情報がＭＰＥＧ（Moving Picture coding Experts Group）形式で記録されている。
【００５１】
ここで、更新用ソフトウェアとは、旧バージョンのソフトウェアの不具合を修正するためのソフトウェア、機能強化または機能追加のためのソフトウェア、新バージョンのソフトウェア等である。また、操作案内情報とは、ソフトウェアの更新のために使用者が行うべき操作の手順を映像および音声で案内するための情報である。使用者が行うべき操作とは、例えば、更新すべきソフトウエアの選択、更新すべき機能の選択、ＣＤ−ＲＯＭ２０１の取り出し等である。
【００５２】
ＤＶＤ再生機器２００は、ＭＰＥＧデコードＩＣ（集積回路）２０２、送信用信号変換ＩＣ２０３、マイクロプロセッサ２０４およびメモリ２０５を含む。
【００５３】
テレビジョン受像機３００は、受信用信号変換ＩＣ３０１、映像処理プロセッサ３０２、音声ＤＡＣ（デジタル−アナログ変換器）回路３０３、ディスプレイ３０４、スピーカ３０５、マイクロプロセッサ３０６、メモリ３０７、マイクロプロセッサ３０８、メモリ３０９および拡張機能部３１０を含む。
【００５４】
ＤＶＤ再生機器２００とテレビジョン受像機３００とは、ＨＤＭＩ（High-Definition Multimedia Interface）規格と呼ばれるデジタルインターフェイス規格に従うＨＤＭＩインターフェイスケーブルＣＡにより接続されている。ＨＤＭＩインターフェイスケーブルＣＡは、データラインＤ１，Ｄ２，Ｄ３、ピクセルクロックラインＣＫおよびコントロールラインＣＴを含む。
【００５５】
ＨＤＭＩ規格によれば、映像データを送信するとともに、映像データのブランキング期間（垂直ブランキング期間および水平ブランキング期間）に補足データを送信することができる。補足データには、音声データ（音声パケット）、およびＩｎｆｏＦｒａｍｅ（情報フレーム）と呼ばれるデータパケットが含まれる。このＩｎｆｏＦｒａｍｅを利用して種々の情報（付加データ）を送信することができる。本実施の形態では、ＩｎｆｏＦｒａｍｅを利用して更新用ソフトウエアが送信される。また、上記の操作案内情報は、ピクセルコンポーネント（映像データ）と、ＩｎｆｏＦｒａｍｅに含まれる音声データとにより構成される。
【００５６】
更新用ソフトウェアは、複数のデータパケットに分割され、複数のブランキング期間のＩｎｆｏＦｒａｍｅに分散して挿入される。各データパケットに付加されるヘッダに基づいて更新用ソフトウェアが再整列されることにより更新用ソフトウェアが復元される。
【００５７】
ＤＶＤ再生機器２００のマイクロプロセッサ２０４は、送信用信号変換ＩＣ２０３を制御する。
【００５８】
ＭＰＥＧデコードＩＣ２０２は、通常時には、ＤＶＤにＭＰＥＧ形式で記録されたデータをデコードし、ソフトウエアの更新時には、ＣＤ−ＲＯＭ２０１にＭＰＥＧ形式で記録されたデータ（更新用ソフトウェア）をデコードする。送信用信号変換ＩＣ２０３は、ＭＰＥＧデコードＩＣ２０２によりデコードされたデータをピクセルコンポーネントデータ（映像データ）と補足データとに分け、ピクセルクロックをピクセルクロックラインＣＫに出力するとともに、ピクセルクロックに同期してピクセルコンポーネントおよび補足データをデータラインＤ１，Ｄ２，Ｄ３に出力する。
【００５９】
データラインＤ１は、ピクセルコンポーネントＢ（青色映像データ）および補足データをピクセルクロックラインＣＫのピクセルクロックに同期してテレビジョン受像機３００に転送する。データラインＤ２は、ピクセルコンポーネントＧ（緑色映像データ）および補足データをピクセルクロックラインＣＫのピクセルクロックに同期してテレビジョン受像機３００に転送する。データラインＤ３は、ピクセルコンポーネントＲ（赤色映像データ）および補足データをピクセルクロックに同期してテレビジョン受像機３００に転送する。
【００６０】
テレビジョン受像機３００の受信用信号変換ＩＣ３０１は、データラインＤ１，Ｄ２，Ｄ３により転送されるピクセルコンポーネントおよび補足データをピクセルクロックラインＣＫのピクセルクロックに同期して受信する。映像処理プロセッサ３０２は、受信用信号変換ＩＣ３０１により受信されたピクセルコンポーネントから映像信号を抽出し、映像信号に基づく映像をディスプレイ３０４に表示させる。音声ＤＡＣ回路３０３は、受信用信号変換ＩＣ３０１より受信された補足データに含まれる音声データをアナログの音声信号に変換し、音声信号に基づく音声をスピーカ３０５に出力させる。
【００６１】
マイクロプロセッサ３０６は、映像処理プロセッサ３０２および音声ＤＡＣ回路３０３を制御する。メモリ３０７には、マイクロプロセッサ３０６のソフトウェアが記憶される。マイクロプロセッサ３０８は、拡張機能部３１０を制御する。メモリ３０９には、マイクロプロセッサ３０８のソフトウェアが記憶される。拡張機能部３１０は、映像の表示および音声の出力というテレビジョン受像機３００の本来の機能に追加して設けられる機能を実行する。例えば、拡張機能部３１０は、テレビ放送の録画機能、インターネットへの接続機能等である。
【００６２】
次に、図１のソフトウェア更新システムの動作について図２〜図６のフローチャートを参照しながら説明する。
【００６３】
図２および図３は図１のＤＶＤ再生機器２００のマイクロプロセッサ２０４の処理を示すフローチャートである。
【００６４】
ここで、ＣＤ−ＲＯＭ２０１には、更新用ソフトウェアおよび操作案内情報がＭＰＥＧ形式で記録されている。この更新用ソフトウェアには、ソフトウェアが更新されるべきマイクロプロセッサ２０４，３０６，３０８を示すＩＤ（識別）情報が含まれる。
【００６５】
使用者がＣＤ−ＲＯＭ２０１をＤＶＤ再生機器２００のＣＤ−ＲＯＭドライブ（図示せず）に挿入すると、ＭＰＥＧデコードＩＣ２０２がＣＤ−ＲＯＭ２０１から読み込まれたデータをデコードし、デコードされたデータを送信用信号変換ＩＣ２０３に与える。送信用信号変換ＩＣ２０３は、デコードされたデータをピクセルコンポーネントと補足データとに分ける。
【００６６】
まず、マイクロプロセッサ２０４は、ＭＰＥＧデコードＩＣ２０２により得られた補足データからＩｎｆｏＦｒａｍｅを読み込む（ステップＳ１）。次いで、マイクロプロセッサ２０４は、読み込まれたＩｎｆｏＦｒａｍｅに更新用ソフトウェアが含まれているか否かを判定する（ステップＳ２）。
【００６７】
ＩｎｆｏＦｒａｍｅに更新用ソフトウェアが含まれている場合には、マイクロプロセッサ２０４は、映像および音声による操作案内の表示および出力をコントロールラインＣＴを通して通してテレビジョン受像機３００のマイクロプロセッサ３０６に指示するとともに（ステップＳ３）、送信用信号変換ＩＣ２０３を用いて操作案内情報をピクセルコンポーネントおよび補足データとしてデータラインＤ１，Ｄ２，Ｄ３を通してテレビジョン受像機３００に送信する（ステップＳ４）。これにより、テレビジョン受像機３００のディスプレイ３０４に操作の手順を示す映像が表示されるとともに、スピーカ３０５から操作の手順を示す音声が出力される。
【００６８】
さらに、マイクロプロセッサ２０４は、送信用信号変換ＩＣ２０３から読み込まれたＩｎｆｏＦｒａｍｅ内のＩＤ情報がマイクロプロセッサ２０４のソフトウェアの更新を指示しているか否かを判定する（ステップＳ５）。
【００６９】
ＩＤ情報がマイクロプロセッサ２０４のソフトウェアの更新を指示している場合には、マイクロプロセッサ２０４は、ＩｎｆｏＦｒａｍｅ内の更新用ソフトウェアを用いてメモリ２０５に記憶されたソフトウェアを書き替えることによりメモリ２０５のソフトウェアを更新し（ステップＳ６）、処理を終了する。
【００７０】
ステップＳ５においてＩＤ情報がマイクロプロセッサ２０４のソフトウェアの更新を指示していない場合には、マイクロプロセッサ２０４は、ＩＤ情報に基づいてテレビジョン受像機３００のマイクロプロセッサ３０６または３０８のソフトウェアの更新をコントロールラインＣＴを通してテレビジョン受像機３００のマイクロプロセッサ３０６に指示する（ステップＳ７）。
【００７１】
その後、マイクロプロセッサ２０４は、マイクロプロセッサ３０６がデータを受信可能か否かを判定する（ステップＳ８）。マイクロプロセッサ３０６がデータを受信可能である場合には、マイクロプロセッサ２０４は、送信用信号変換ＩＣ２０３を用いてマイクロプロセッサ３０６または３０８の更新用ソフトウェアをデータラインＤ１，Ｄ２，Ｄ３を通してテレビジョン受像機３００に送信する（ステップＳ９）。
【００７２】
さらに、マイクロプロセッサ２０４は、テレビジョン受像機３００のマイクロプロセッサ３０６からコントロールラインＣＴを通して受信完了通知を受信したか否かを判定する（ステップＳ１０）。マイクロプロセッサ２０４は、マイクロプロセッサ３０６から受信完了通知を受信するまで、ステップＳ９の処理を継続し、マイクロプロセッサ３０６から受信完了通知を受信すると、処理を終了する。
【００７３】
なお、ステップＳ２においてＩｎｆｏＦｒａｍｅ内に更新用ソフトウェアが含まれない場合には、マイクロプロセッサ２０４は処理を終了する。
【００７４】
図４および図５は図１のテレビジョン受像機３００のマイクロプロセッサ３０６の処理を示すフローチャートである。
【００７５】
テレビジョン受像機３００のマイクロプロセッサ３０６は、コントロールラインＣＴをモニタし（ステップＳ２１）、コントロールラインＣＴを通して操作案内の表示および出力が指示されたか否かを判定する（ステップＳ２２）。操作案内の表示および出力が指示された場合には、マイクロプロセッサ３０６は、受信用信号変換ＩＣ３０１を用いてデータラインＤ１，Ｄ２，Ｄ３を通して操作案内情報を受信する（ステップＳ２３）。
【００７６】
次いで、マイクロプロセッサ３０６は、コントロールラインＣＴを通してソフトウェアの更新が指示されたか否かを判定する（ステップＳ２４）。
【００７７】
ソフトウェアの更新が指示された場合には、マイクロプロセッサ３０６は、データを受信可能か否かを判定する（ステップＳ２５）。データを受信可能な場合には、マイクロプロセッサ３０６はコントロールラインＣＴを通してＤＶＤ再生機器２００のマイクロプロセッサ２０４にデータを受信可能であることを通知する（ステップＳ２６）。
【００７８】
次に、マイクロプロセッサ３０６は、受信用信号変換ＩＣ３０１を用いてデータラインＤ１，Ｄ２，Ｄ３を通して更新用ソフトウェアを受信する（ステップＳ２７）。マイクロプロセッサ３０６は、ＤＶＤ再生機器２００からの更新用ソフトウェアの受信が完了したか否かを判定する（ステップＳ２８）。
【００７９】
更新用ソフトウェアの受信が完了した場合には、マイクロプロセッサ３０６は、ＤＶＤ再生機器２００のマイクロプロセッサ２０４にコントロールラインＣＴを通して受信完了通知を送信する（ステップＳ２９）。
【００８０】
次いで、マイクロプロセッサ３０６は、ＩｎｆｏＦｒａｍｅ内のＩＤ情報がマイクロプロセッサ３０６のソフトウェアの更新を指示しているか否かを判定する（ステップＳ３０）。
【００８１】
ＩＤ情報がマイクロプロセッサ３０６のソフトウェアの更新を指示している場合には、マイクロプロセッサ３０６は、ＩｎｆｏＦｒａｍｅ内の更新用ソフトウェアを用いてメモリ３０７に記憶されたソフトウェアを書き替えることによりメモリ３０７のソフトウェアを更新し（ステップＳ３１）、処理を終了する。
【００８２】
ＩＤ情報がマイクロプロセッサ３０６のソフトウェアの更新を指示していない場合には、マイクロプロセッサ３０６は、マイクロプロセッサ３０８にシリアルバスラインＳＢを通してソフトウェアの更新を指示する（ステップＳ３２）。さらに、マイクロプロセッサ３０６は、マイクロプロセッサ３０８にシリアルバスラインＳＢを通して更新用ソフトウェアを送信する（ステップＳ３３）。
【００８３】
その後、マイクロプロセッサ３０６は、マイクロプロセッサ３０８からシリアルバスラインＳＢを通して更新完了通知を受信したか否かを判定する（ステップＳ３４）。マイクロプロセッサ３０８から更新完了通知を受信した場合には、マイクロプロセッサ３０６は、ＤＶＤ再生機器２００のマイクロプロセッサ２０４にコントロールラインＣＴを通して受信完了通知を送信し（ステップＳ３５）、処理を終了する。
【００８４】
図６は図１のテレビジョン受像機３００のマイクロプロセッサ３０８０の処理を示すフローチャートである。
【００８５】
マイクロプロセッサ３０８は、マイクロプロセッサ３０６からシリアルバスラインＳＢを通してソフトウェアの更新が指示されたかを判定する（ステップＳ４１）。マイクロプロセッサ３０６からソフトウェアの更新が指示された場合には、マイクロプロセッサ３０８は、マイクロプロセッサ３０６からシリアルバスラインＳＢを通して更新用ソフトウェアを受信する（ステップＳ４２）。
【００８６】
次いで、マイクロプロセッサ３０８は、マイクロプロセッサ３０６から受信した更新用ソフトウェアを用いてメモリ３０９に記憶されたソフトウェアを書き替えることによりメモリ３０９のソフトウェアを更新する（ステップＳ４３）。
【００８７】
その後、マイクロプロセッサ３０８は、マイクロプロセッサ３０６にシリアルバスラインＳＢを通して更新完了通知を送信する（ステップＳ４４）。
【００８８】
このようにして、ＣＤ−ＲＯＭ２０１にＭＰＥＧ形式で記録された更新用ソフトウェアデータがＩＤ情報に基づいてＤＶＤ再生機器２００のマイクロプロセッサ２０４またはテレビジョン受像機３００マイクロプロセッサ３０６，３０８にダウンロードされ、メモリ２０５，３０７，３０９に記憶されたソフトウェアが更新される。
【００８９】
以上のように、本実施の形態に係るソフトウェア更新システムによれば、ＭＰＥＧ形式で更新用ソフトウェアが記録されたＣＤ−ＲＯＭ２０１をテレビジョン受像機３００に接続されたＤＶＤ再生機器２００に挿入するだけでＤＶＤ再生機器２００またはテレビジョン受像機３００の任意のマイクロプロセッサ２０４，３０６，３０８のソフトウェアを容易に更新することができる。したがって、ソフトウェアの更新のためにサービスマンが各使用者の家庭を訪問して特殊な手法でソフトウェアを更新する必要がなくなる。その結果、サービスコストを大幅に削減することができる。
【００９０】
また、本実施の形態に係るソフトウエア更新システムでは、ＤＶＤ再生機器２００がテレビジョン受像機３００にＨＤＭＩ規格に従うデータラインＤ１，Ｄ２，Ｄ３、ピクセルクロックラインＣＫおよびコントロールラインＣＴにより接続されるので、ＤＶＤ再生機器２００からテレビジョン受像機３００に映像データおよび音声データにより構成される操作案内情報を転送することができる。それにより、テレビジョン受像機３００によりソフトウェアの更新のための操作案内が映像および音声により出力される。したがって、使用者は、映像および音声による操作案内にしたがってソフトウェアの更新のための操作を容易に行うことができる。
【００９１】
本実施の形態では、ＤＶＤ再生機器２００のマイクロプロセッサ２０４からテレビジョン受像機３００のマイクロプロセッサ３０６にコントロールラインＣＴを用いてソフトウェアが更新されるべきマイクロプロセッサを指示しているが、これに限定されず、ＤＶＤ再生機器２００からテレビジョン受像機３００に送信される補足データに含まれるＩｎｆｏＦｒａｍｅを用いてソフトウェアが更新されるべきマイクロプロセッサをマイクロプロセッサ３０６に指示してもよい。
【００９２】
また、本実施の形態では、ＤＶＤ再生機器２００からテレビジョン受像機３００に映像データおよび音声データからなる操作案内情報を送信しているが、ＤＶＤ再生機器２００からテレビジョン受像機３００に音声データからなる操作案内情報を送信してもよく、あるいは映像データからなる操作案内情報を送信してもよい。この場合、テレビジョン受像機３００から音声による操作案内のみが出力されるか、または映像による操作案内のみが出力される。
【００９３】
さらに、本実施の形態では、ＤＶＤ再生機器２００からデータラインＤ１，Ｄ２，Ｄ３にピクセルコンポーネントＢ、ピクセルコンポーネントＧおよびピクセルコンポーネントＲが出力されるが、ＤＶＤ再生機器２００からデータラインＤ１，Ｄ２，Ｄ３に輝度データおよび２つの色差データが出力されてもよい。
【００９４】
本実施の形態では、ＤＶＤ再生機器２００がデータ再生装置に相当し、テレビジョン受像機３００が映像表示装置およびテレビジョン受像機に相当する。また、送信用信号変換ＩＣ２０３が送信部に相当し、マイクロプロセッサ２０４が制御部に相当し、メモリ２０５が記憶装置に相当する。さらに、受信用信号変換ＩＣ３０１が受信部に相当し、映像処理プロセッサ３０２およびディスプレイ３０４が映像表示部に相当し、音声ＤＡＣ回路３０３およびスピーカ３０５が音声出力部に相当する。また、マイクロプロセッサ３０６が処理部に相当し、メモリ３０７が記憶部に相当し、マイクロプロセッサ３０８が他の処理部に相当し、メモリ３０９が他の記憶部に相当する。さらに、ＩｎｆｏＦｒａｍｅが第３の領域に相当する。
【図面の簡単な説明】
【００９５】
【図１】図１は、本発明の一実施の形態に係るソフトウェア更新システムの構成を示すブロック図である。
【図２】図２は、図１のＤＶＤ再生機器のマイクロプロセッサの処理を示すフローチャートである。
【図３】図３は、図１のＤＶＤ再生機器のマイクロプロセッサの処理を示すフローチャートである。
【図４】図４は、図１のテレビジョン受像機のマイクロプロセッサの処理を示すフローチャートである。
【図５】図５は、図１のテレビジョン受像機のマイクロプロセッサの処理を示すフローチャートである。
【図６】図６は、図１のテレビジョン受像機のマイクロプロセッサの処理を示すフローチャートである。
【図７】図７は、従来のソフトウェア更新回路の構成を示すブロック図である。
【手続補正３】
【補正対象書類名】図面
【補正対象項目名】全図
【補正方法】変更
【補正の内容】
【図１】
2004091207.tif 000010
【図２】
2004091207.tif 000011
【図３】
2004091207.tif 000012
【図４】
2004091207.tif 000013
【図５】
2004091207.tif 000014
【図６】
2004091207.tif 000015
【図７】
2004091207.tif 000016
【国際調査報告】
2004091207.tif 000017
2004091207.tif 000018